(57)【特許請求の範囲】
【請求項１】
帯状の布等に対して帯状のゴム、あるいは弾性線材により帯状に編んだものを継ぎ足して一枚の連続帯状に形成されたベルト本体をループ状に連結してなり、
前記ベルト本体には、帯状のゴム、あるいは弾性線材により帯状に編んだものとベルト本体の長手方向にほぼ同程度の寸法を有するネームプレート保持部が外嵌され、
かつ、該ネームプレート保持部は、帯状のゴム、あるいは弾性線材により帯状に編んだ部分を含めてベルト本体の長手方向に全長に渡って移動自在で、
帯状のゴム、あるいは弾性線材により帯状に編んだ部分を隠すようにネームプレートを保持したベルト本体により鞄を巻回、締結可能で、また、ネームプレートを好みの位置に配置することが可能なネームベルト。
【発明の詳細な説明】
【技術分野】
【０００１】
本発明はネームベルトに関するものである。
【背景技術】
【０００２】
旅行等で手荷物を預け、到着地で引渡を受ける際には、自分の手荷物を瞬時に他人のものと区別できるのが望ましく、そのための手段として従来、鞄にシール等を張り付けたり、あるいはネームプレートを吊り下げることなどが行われている。
【発明の開示】
【発明が解決しようとする課題】
【０００３】
しかし、シール等による識別方法は不要な時にシールを剥がす手間がかかる上に、剥離痕が残るという欠点を有し、ネームプレートによる識別方法はネームプレートが他のものに引っ掛かり邪魔になることが多いという欠点を有する。
【０００４】
本発明は、以上の点に鑑みてなされたもので、邪魔にならず、かつ、不要時には簡単に取り外しのできるネームベルトの提供を目的とする。
【課題を解決するための手段】
【０００５】
本発明によれば上記目的は、
帯状の布等に対して帯状のゴム、あるいは弾性線材により帯状に編んだものを継ぎ足して一枚の連続帯状に形成されたベルト本体１をループ状に連結してなり、
前記ベルト本体１には、帯状のゴム、あるいは弾性線材により帯状に編んだものとベルト本体１の長手方向にほぼ同程度の寸法を有するネームプレート保持部２が外嵌され、
かつ、該ネームプレート保持部２は、帯状のゴム、あるいは弾性線材により帯状に編んだ部分を含めてベルト本体１の長手方向に全長に渡って移動自在で、
帯状のゴム、あるいは弾性線材により帯状に編んだ部分を隠すようにネームプレートを保持したベルト本体１により鞄を巻回、締結可能で、また、ネームプレートを好みの位置に配置することが可能なネームベルトを提供することにより達成される。
【０００７】
ネームプレートを保持するネームプレート保持部２はベルト本体１に外嵌されてベルト本体１に密着しているために、例えばネームタッグをぶら下げる場合に比して邪魔にならず、かつ、荷物の搬送時に他のものに引っ掛かったりすることがなく、不用意な脱落が防止される。
【０００８】
また、ベルト本体１による鞄の巻回操作を容易にするために、ベルト本体１には連結具３、３’を設けるのが望ましい。ベルト本体１自体が伸縮部４を一部、あるいは全部に有している場合には、連結具３、３’はフックとフック係止部との対で構成することができる。この場合、予め鞄の周囲長より短く形成されたベルト本体１を伸縮部４で伸長させて鞄に巻き付け、ベルト本体１の一端のフックを他端のフック係止部に係止させるだけで鞄を巻回、締結することができる。
【０００９】
さらに、一方の連結具３、３’はベルト本体１への取り付け位置が可変にされ、連結具３、３’の取り付け位置を変更することによりループ径を変更できるようにすることもできる。ベルト本体１に対して連結具３、３’の取り付け位置を可変に固定するために種々の手段が採用可能であるが、例えば、ベルト本体１に複数の係止ループを設け、その適宜位置に連結具３、３’を係止させるように構成することが可能である。また、ループ径を無段階に可変とするためには、ベルト本体１に複数の係止ループと伸縮部４をともに設ければよく、さらに、図１に示すように、連結具３、３’に調整部を設けてもよい。
【００１０】
上述したループ径の変更は、ベルト本体１の一端を余らせるものであり、この長さ調整されたベルト本体１の一端部（余長部）をネームプレート保持部２に挿通させることにより妄りにぶらつくことを防止することができる。
【発明の効果】
【００１１】
以上の説明より明らかなように、本発明によればネームプレートを確実に鞄に取り付けることができる。
【発明を実施するための最良の形態】
【００１２】
図１ないし図３は本発明の参考例を示すもので、ネームベルトは、ベルト本体１と、ベルト本体１に装着される一対の連結具３、３’と、ネームプレート保持部２とからなる。ベルト本体１は布等により適宜幅を有する帯状に形成される。連結具３、３’は合成樹脂材により形成され、一方がベルト本体１の一端に形成された係止リング部３０に係止される。この連結具３は嵌合凹部３１と、嵌合凹部３１の側方に係止段部３３を形成する爪収容凹部３２とを備える。
【００１３】
ベルト本体１の他端部に装着される他方の連結具３’は係止杆部３４ａと押圧杆部３４ｂとを備えたリング部３４と係止部３５とからなり、ベルト本体１の他端部は図３に示すように、係止杆部３４ａに係止されるようにして該係止杆部３４ａで折り返された後、押圧杆部３４ｂの下方から引き出されて連結具３’を係止、固定する。係止部３５は内方に弾性変型可能な係止爪３５ａと、係止爪３５ａの側方に延設される摘み部３５ｂを有する。
【００１４】
ネームプレート保持部２は図２（ｂ）に示すように、ベルト本体１に外嵌される本体部２０の表面に沿ってネームプレート挿入部２１を形成したもので、本体部２０は２枚の合成樹脂製の表裏シート体２０ａ、２０ｂの側縁同士を溶着して形成される。ネームプレート保持部２に適当な剛性を持たせるために、上記表裏シート体２０ａ、２０ｂは２枚のシート材を溶着したり、あるいはシート材の間に適当な介在物が介装される。また、ネームプレート挿入部２１には該ネームプレート挿入部２１に挿入されたネームプレートを表示するための表示窓２２が設けられる。ネームプレート挿入部２１は、本体部２０の表面に透明な合成樹脂製のシートを積層し、３辺を本体部２０に溶着して形成することもできる。なお、この実施の形態においてネームプレート保持部２は適当な柔軟性を有しているが、硬質の合成樹脂材で形成することもできる。
【００１５】
したがってこの参考例において、先ず、ベルト本体１を鞄を巻き付け、一方の連結具３’の係止部３５を他方の連結具３の嵌合凹部３１に押し込む。係止部３５が押し込まれると、係止爪３５ａは内方に弾性変形しながら嵌合凹部３１を挿通し、爪収容凹部３２で再び拡開する。係止爪３５ａは拡開状態において一方の連結具３の係止段部３３に係止されており、相互の脱離が防止される。これら相互に連結された一対の連結具３、３’の解除は、摘み部３５ｂを内方に押し込んで、係止爪３５ａと係止段部３３との係止を解除して行われる。
【００１６】
以上のようにしてベルト本体１をループ状に連結して鞄を巻回した後、ベルト本体１の他端を引っ張るとベルト本体１のループ径Ｄが縮小し、ベルト本体１は鞄を締結し、鞄から妄りに外れることがない。また、引き出されたベルト本体１の他端は押圧杆部３４ｂにより表面側から押され、該押圧杆部３４ｂとベルト本体１とにより挟まれるために、緩むこともない。この後、予めネームプレートを挿入したネームプレート保持部２をベルト本体１に沿って適宜位置まで移動させればよい。この場合、引き出されたベルト本体１の他端をネームプレート保持部２とベルト本体１との間の隙間に差し込めば、ネームプレート保持部２がベルト止めの役割を果たし、ベルト本体１の他端のぶらつきを防ぐことができる。
【００１７】
図４に本発明の実施の形態を示す。この実施の形態において、ベルト本体１の中間部には帯状の伸縮部４が形成される。伸縮部４は例えば帯状のゴム、あるいは弾性線材により帯状に編んだものが使用できる。鞄への装着は伸縮部４を弾性的に伸長させた状態で行われ、連結具３、３’の一方はフック形状に、他方は一方のフックが係止可能なリング形状に形成される。したがってこの実施の形態において、ベルト本体１を引っ張った状態で鞄に巻き付け、連結具３、３’同士を係止させることにより簡単に鞄に装着でき、伸縮部４の弾性に抗してベルト本体１を引っ張って連結具３、３’同士の係止を解除するだけで簡単に脱離できる。
【図面の簡単な説明】
【００１８】
【図１】参考例を示す斜視図である。
【図２】図１の要部を示す図で、（ａ）は連結具を示す図、（ｂ）はネームプレート保持部の断面図である。
【図３】図１の要部断面図で、（ａ）は連結具とネームプレート保持部部位の断面図、（ｂ）は連結具の位置を破断して示す正面図、（ｃ）は（ｂ）のＣ-Ｃ線断面図である。
【図４】本発明の実施の形態を示す要部断面図である。
【符号の説明】
【００１９】
１ ベルト本体
２ ネームプレート保持部
【図１】
0004447611.tif 000002
【図２】
0004447611.tif 000003
【図３】
0004447611.tif 000004
【図４】
0004447611.tif 000005